(57)【特許請求の範囲】
【請求項１】
相手側コネクタの複数の相手側コンタクトのうちの一部のコンタクトに接触可能なコンタクトを保持する少なくとも１つの第１のインシュレータ部を有する第１のハウジングと、
この第１のハウジングに摺動可能に組み付けられ、前記相手側コネクタの前記複数の相手側コンタクトのうちの残部のコンタクトに接触可能なコンタクトを保持する複数の第２のインシュレータ部を有する第２のハウジングと、
前記第２のハウジングを前記第１のハウジングに組み付けたときの、前記第１のインシュレータ部のコネクタ嵌合方向前面が前記第２のインシュレータ部のコネクタ嵌合方向前面よりもコネクタ嵌合方向で後方へずれた初期状態を維持する初期状態ロック手段と、
前記初期状態ロック手段によってロックされている前記第１、第２のハウジングに前記相手側コネクタを相対的に所定量押し込むと、前記相手側コネクタの複数の相手側コンタクトのうちの一部のコンタクトが前記第２のインシュレータ部と嵌合するとともに、前記初期状態ロック手段による前記第２のハウジングと前記第１のハウジングとの前記ロックが解除され、更に前記相手側コネクタを押し込むと、前記第１、第２のインシュレータ部のコネクタ嵌合方向前面がほぼ面一になる位置まで前記第２のハウジングが相対移動して、前記相手側コネクタの複数の相手側コンタクトのうちの残部のコンタクトを前記第１のインシュレータ部と嵌合させる多段嵌合手段と、
前記第１、第２のインシュレータ部のコネクタ嵌合方向前面がほぼ面一の状態の前記第１、第２のハウジングから前記相手側コネクタを相対的に離脱するときに、前記第２ハウジングを前記相手側コネクタに係合させて前記第２ハウジングを前記相手側コネクタとともに相対的に離脱方向へ移動させ、前記初期状態ロック手段のロック機能が機能しうるようになったときに、前記第２ハウジングと前記相手側コネクタとの係合を解除する初期状態復帰手段とを備え、
前記初期状態復帰手段は前記第２のハウジングの一部分に設けられた突起であり、
前記第２のハウジングの一部分は前記第２のインシュレータ部の厚さ方向へ弾性変形可能であり、前記第１、第２のインシュレータ部のコネクタ嵌合方向前面がほぼ面一の状態から前記第２のインシュレータ部が前記初期状態に戻るまでの間前記第１のハウジングによって前記第２のハウジングの一部分の弾性変形が阻止され、
前記突起は、前記第１、第２のインシュレータ部のコネクタ嵌合方向前面がほぼ面一の状態から前記第２のインシュレータ部が前記初期状態に戻るまでの間前記相手側コネクタの一部に係合し、
前記第１のインシュレータ部と前記第２のインシュレータ部とは交互に配置されている
ことを特徴とするコネクタ。
【請求項２】
前記第１のハウジングの前記第１のインシュレータ部が１つであり、前記第２のハウジングの前記第２のインシュレータ部が２つであり、
前記第２のハウジングを前記第１のハウジングに組み付けたとき、前記第２のインシュレータ部のコネクタ嵌合方向前面が前記第１のインシュレータ部のコネクタ嵌合方向前面よりもコネクタ嵌合方向前側に位置することを特徴とする請求項１記載のコネクタ。
【発明の詳細な説明】
【技術分野】
【０００１】
この発明はコネクタに関し、特にコネクタを相手側コネクタに嵌合するときの嵌合力を低減することができるコネクタに関する。
【背景技術】
【０００２】
従来、アウターハウジング（第１のハウジング）と可動ターミナルホルダ（第２のハウジング）とを備える雌型コネクタが知られている（下記特許文献１参照）。
【０００３】
アウターハウジングは固定ターミナルホルダ（第１のインシュレータ部）を有する。固定ターミナルホルダは複数の雌ターミナルの一部を保持する。固定ターミナルホルダには複数の収容空間が等間隔に形成されている。収容空間の内面には抜け止め爪と係止段差とが形成されている。
【０００４】
可動ターミナルホルダは第２のインシュレータ部であり、複数の雌ターミナルの残部を保持する。可動ターミナルホルダは固定ターミナルホルダの収容空間に雌型コネクタの嵌合・離脱方向と平行な方向へ移動可能に収容される。可動ターミナルホルダの上面には段差部が形成され、可動ターミナルホルダの両側面及び下面にはそれぞれ係合凹部が形成されている。段差部は係止段差に、係合凹部は抜け止め爪にそれぞれ係合し、可動ターミナルホルダのアウターハウジングに対する嵌合・離脱方向の移動が制限される。
【０００５】
可動ターミナルホルダの前端部の両側面には複数の係止爪（ロック手段）が形成されている。係止爪の両側には補助突部が一体に形成されている。係止爪は、可動ターミナルホルダを収容空間に挿入して可動ターミナルホルダの前端部が収容空間から少し突出したときに、アウターハウジングの前面と係合する。これにより、可動ターミナルホルダの前面とアウターハウジングの前面とが嵌合方向へずれた状態に維持される。
【０００６】
上述の雌型コネクタの相手側コネクタである雄型コネクタは、雄コネクタハウジングと複数の雄ターミナルとを有する。
【０００７】
雄コネクタハウジングはフード部とターミナル保持部とを有する。フード部はアウターハウジングを受け容れる。フード部の内面には複数の係止解除片が形成されている。ターミナル保持部はフード部の後面に一体に形成されている。
【０００８】
複数の雄ターミナルはターミナル保持部によって保持され、その先端部はフード部内に突出する。
【０００９】
次に、両コネクタの嵌合について説明する。
【００１０】
まず、上述のように、可動ターミナルホルダをアウターハウジングに組み付ける。このとき、可動ターミナルホルダの前端部が収容空間から少し突出し、可動ターミナルホルダの係止爪がアウターハウジングの前面に係合する。
【００１１】
次に、雌型コネクタのアウターハウジングを雄型コネクタのフード部に挿入する。
【００１２】
その途中では、可動ターミナルホルダに設けられた雌ターミナルが雄型コネクタの雄ターミナルの一部と接触するが、係止爪がアウターハウジングの前面に係合しているので、可動ターミナルホルダは動かない。
【００１３】
雄型コネクタのフード部にアウターハウジングが更に入り込むと、係止解除片が補助突部を押圧して係止爪とアウターハウジングの前面との係合が解かれる。その結果、アウターハウジングがフード部の奥に達する。このとき固定ターミナルホルダに設けられた雌ターミナルが雄型コネクタの雄ターミナルの残部と接触する。
【００１４】
以上のように、両コネクタの嵌合の際、複数の雌ターミナルと複数の雄ターミナルとの接触が２回に分けて行なわれるので、複数の雌ターミナルと複数の雄ターミナルとを一時に接触させる方式のコネクタに較べ、雌型コネクタと雄型コネクタとの嵌合力を低減させることができる。
【特許文献１】特開平６−１１１８８２号公報（段落００１２〜００１４、００１７、図１、２参照）
【発明の開示】
【発明が解決しようとする課題】
【００１５】
上述の雌型コネクタでは、雄型コネクタと嵌合するときに、まず可動ターミナルホルダに設けられた複数の雌ターミナルが雄型コネクタの雄ターミナルの一部と接触するので、雌型コネクタの可動ターミナルホルダ側を押し込み難くい反面、固定ターミナルホルダ側を押し込み易い。このため、雌型コネクタの姿勢が雄型コネクタに対して傾き易く、雌型コネクタが雄型コネクタに斜めに嵌合し、いわゆるかじりが生じるおそれがあった。
【００１６】
また、可動ターミナルホルダに設けられた複数の雌ターミナルが雄型コネクタの雄ターミナルの一部と接触した後は、固定ターミナルホルダに設けられた複数の雌ターミナルが雄型コネクタの雄ターミナルの残部と接触するので、やはり雌型コネクタの姿勢が雄型コネクタに対して傾き易く、雌型コネクタが雄型コネクタに斜めに嵌合するおそれがあった。
【００１７】
更に、一度離脱させると可動ターミナルホルダと固定ターミナルホルダとはずれた状態に戻らない構成であった。
【００１８】
この発明はこのような事情に鑑みてなされたもので、その課題は相手側コネクタとの嵌合力を低減することができるとともに斜め嵌合を防ぐことができるコネクタを提供することである。
【００１９】
また、離脱させても再嵌合できるように第１のハウジングと第２のハウジングとをずれた状態に確実に戻すことができるコネクタを提供することである。
【課題を解決するための手段】
【００２０】
前述の課題を解決するため請求項１の発明のコネクタは、相手側コネクタの複数の相手側コンタクトのうちの一部のコンタクトに接触可能なコンタクトを保持する少なくとも１つの第１のインシュレータ部を有する第１のハウジングと、この第１のハウジングに摺動可能に組み付けられ、前記相手側コネクタの前記複数の相手側コンタクトのうちの残部のコンタクトに接触可能なコンタクトを保持する複数の第２のインシュレータ部を有する第２のハウジングと、前記第２のハウジングを前記第１のハウジングに組み付けたときの、前記第１のインシュレータ部のコネクタ嵌合方向前面が前記第２のインシュレータ部のコネクタ嵌合方向前面よりもコネクタ嵌合方向で後方へずれた初期状態を維持する初期状態ロック手段と、前記初期状態ロック手段によってロックされている前記第１、第２のハウジングに前記相手側コネクタを相対的に所定量押し込むと、前記相手側コネクタの複数の相手側コンタクトのうちの一部のコンタクトが前記第２のインシュレータ部と嵌合するとともに、前記初期状態ロック手段による前記第２のハウジングと前記第１のハウジングとの前記ロックが解除され、更に前記相手側コネクタを押し込むと、前記第１、第２のインシュレータ部のコネクタ嵌合方向前面がほぼ面一になる位置まで前記第２のハウジングが相対移動して、前記相手側コネクタの複数の相手側コンタクトのうちの残部のコンタクトを前記第１のインシュレータ部と嵌合させる多段嵌合手段と、前記第１、第２のインシュレータ部のコネクタ嵌合方向前面がほぼ面一の状態の前記第１、第２のハウジングから前記相手側コネクタを相対的に離脱するときに、前記第２ハウジングを前記相手側コネクタに係合させて前記第２ハウジングを前記相手側コネクタとともに相対的に離脱方向へ移動させ、前記初期状態ロック手段のロック機能が機能しうるようになったときに、前記第２ハウジングと前記相手側コネクタとの係合を解除する初期状態復帰手段とを備え、前記初期状態復帰手段は前記第２のハウジングの一部分に設けられた突起であり、前記第２のハウジングの一部分は前記第２のインシュレータ部の厚さ方向へ弾性変形可能であり、前記第１、第２のインシュレータ部のコネクタ嵌合方向前面がほぼ面一の状態から前記第２のインシュレータ部が前記初期状態に戻るまでの間前記第１のハウジングによって前記第２のハウジングの一部分の弾性変形が阻止され、前記突起は、前記第１、第２のインシュレータ部のコネクタ嵌合方向前面がほぼ面一の状態から前記第２のインシュレータ部が前記初期状態に戻るまでの間前記相手側コネクタの一部に係合し、前記第１のインシュレータ部と前記第２のインシュレータ部とは交互に配置されていることを特徴とする。
【００２１】
上述のように第１のインシュレータ部と第２のインシュレータ部とが交互に配置されているので、コネクタを相手側コネクタに嵌合させるときに、コネクタが相手側コネクタに対してまっすぐに挿入され易くなる。
【００２２】
また、初期状態復帰手段を備えているので、相手側コネクタを離脱するときに、前記第１のインシュレータ部のコネクタ嵌合方向前面と前記第２のインシュレータ部のコネクタ嵌合方向前面とがコネクタ嵌合方向へずれた状態に確実に戻すことができる。
【００２３】
請求項２の発明は、請求項１記載のコネクタにおいて、前記第１のハウジングの前記第１のインシュレータ部が１つであり、前記第２のハウジングの前記第２のインシュレータ部が２つであり、前記第２のハウジングを前記第１のハウジングに組み付けたとき、前記第２のインシュレータ部のコネクタ嵌合方向前面が前記第１のインシュレータ部のコネクタ嵌合方向前面よりもコネクタ嵌合方向前側に位置することを特徴とする。
【発明の効果】
【００２４】
以上説明したようにこの発明のコネクタによれば、相手側コネクタとの嵌合力を低減することができるとともに斜め嵌合を防ぐことができる。
【００２５】
また、相手側コネクタを離脱するとき、第１のインシュレータ部のコネクタ嵌合方向前面と第２のインシュレータ部のコネクタ嵌合方向前面とがコネクタ嵌合方向へずれた状態に確実に戻すことができ、再度嵌合するときに備えることができる。
【発明を実施するための最良の形態】
【００２６】
以下、この発明の実施の形態を図面に基づいて説明する。
【００２７】
図１はこの発明の一実施形態に係る雌型コネクタとこのコネクタの相手側コネクタである雄型コネクタとの嵌合状態を雌型コネクタの一面側から見た状態を示す破砕斜視図、図２は図１に示す雌型コネクタの第１の雌ハウジングに第２の雌ハウジングを組み付ける前の状態を雌コネクタの他面側から見た斜視図、図３は図１に示す雌型コネクタの第１の雌ハウジングに第２の雌ハウジングを組み付け、第１、第２の雌ハウジングの嵌合方向前面をずらした状態を雌型コネクタの一面側から見た斜視図、図４は図１に示す雌型コネクタの第１の雌ハウジングに第２の雌ハウジングを組み付け、第１、第２の雌ハウジングの嵌合方向前面をほぼ面一にした状態を雌型コネクタの一面側から見た斜視図である。
【００２８】
図１に示すように、雌型コネクタ（コネクタ）１は後述の雄型コネクタ（相手側コネクタ）２２に嵌合される。雌型コネクタ１は雌コンタクト３（図２参照）と第１の雌ハウジング（第１のハウジング）５と第２の雌ハウジング（第２のハウジング）７と備える。
【００２９】
雌コンタクト３はソケット型のコンタクトであり、ソケット部３ａ（図２参照）を有する。ソケット部３ａは雄型コネクタ２２の雄コンタクト（ピンコンタクト）２４の接触部２４ａ（図６参照）を受け容れて接触する。
【００３０】
図２〜４に示すように、第１の雌ハウジング５は１つの第１のインシュレータ部５１と１対のガイド部５２と一対の結合部５４とを有する。それらは絶縁性を有する合成樹脂で一体に形成されている。
【００３１】
第１のインシュレータ部５１はほぼ平板状であり、複数の第１のコンタクト収容孔５１ａを有する。複数の第１のコンタクト収容孔５１ａは第１のインシュレータ部５１の幅方向Ｗ１に沿って２列に並んでいる。また、複数の第１のコンタクト収容孔５１ａは嵌合方向Ｄ１へ延びている。各第１のコンタクト収容孔５１ａ内に雌コンタクト３が挿入されている。
【００３２】
第１のインシュレータ部５１の厚さ方向Ｔ１の一端面にはリテーナ収容穴５１ｂが形成されている。リテーナ収容穴５１ｂは第１のインシュレータ部５１の幅方向Ｗ１へ延びている。リテーナ収容穴５１ｂにはリテーナ６１が収容される。リテーナ６１は第１のコンタクト収容孔５１ａに挿入された雌コンタクト３を保持する。
【００３３】
一対のガイド部５２は第１のインシュレータ部５１の両側に間隔をあけて配置されている。ガイド部５２はほぼ角柱状である。ガイド部５２の第１のインシュレータ部５１と幅方向Ｗ１で対向する面にはガイド溝５２ａが形成されている。ガイド溝５２ａは嵌合方向Ｄ１へ延びている。一対のガイド部５２の後部には突片５２ｂが形成されている。
【００３４】
一対のガイド部５２の側面にはボックス固定用ロック５３が設けられている。ボックス固定用ロック５３は突片５２ｂと嵌合方向Ｄ１で対向する。ボックス固定用ロック５３は傾斜面５３ａを有する。ボックス固定用ロック５３はガイド部５２から突出したり、ガイド部５２内に引き込んだりする。
【００３５】
一対の結合部５４はそれぞれ板状であり、第１のインシュレータ部５１の幅方向Ｗ１へ延び、第１のインシュレータ部５１と一対のガイド部５２とを結合する。
【００３６】
ガイド部５２から延設された規制片５７がガイド部５２と一体に形成されている。規制片５７は板状である。規制片５７は係止孔５７ａを有する。
【００３７】
第１のインシュレータ部５１の幅方向Ｗ１の両端部にはそれぞれ係止片５８が一体に形成されている。係止片５８は係合部５８ａとばね部５８ｂとを有する（図１０、１１参照）。係合部５８ａはほぼ三角プレート状であり、凹部５８ｃと第１の傾斜面（多段嵌合手段）５８ｄと第２の傾斜面５８ｅとを有する。ばね部５８ｂは片持梁状であり、第１のインシュレータ部５１の幅方向Ｗ１へ弾性変形可能である。
【００３８】
一対の結合部５４と第１のインシュレータ部５１とガイド部５２とで囲まれた２つの空間は挿入孔５９である。挿入孔５９には後述する第２のインシュレータ部７１が挿入される。
【００３９】
第２の雌ハウジング７は２つの第２のインシュレータ部７１と１対のスライド片７３と一対の結合部７５とを有する。それらは絶縁性を有する合成樹脂で一体に形成されている。
【００４０】
２つの第２のインシュレータ部７１はそれぞれほぼ平板状であり、複数の第２のコンタクト収容孔７１ａと一つのリテーナ収容穴７１ｂとを有する。第２のインシュレータ部７１の厚さは第１のインシュレータ部５１の厚さにほぼ等しい。複数の第２のコンタクト収容孔７１ａは第２のインシュレータ部７１の幅方向Ｗ２に沿って２列に並んでいる。また、複数の第２のコンタクト収容孔７１ａは嵌合方向Ｄ１へ延びている。各第２のコンタクト収容孔７１ａ内に雌コンタクト３が挿入されている。リテーナ収容穴７１ｂは第２のインシュレータ部７１の厚さ方向Ｔ２の一端面に形成されている。リテーナ収容穴７１ｂは第２のインシュレータ部７１の幅方向Ｗ２へ延びている。リテーナ収容穴７１ｂにはリテーナ８１が収容される。リテーナ８１は第２のコンタクト収容孔７１ａに挿入された雌コンタクト３を保持する。
【００４１】
第２のインシュレータ部７１の厚さ方向Ｔ２の両端面にはそれぞれ突起７１ｃが形成されている。突起７１ｃは第２のインシュレータ部７１の幅方向Ｗ２へ延びている。突起７１ｃは第１の雌ハウジング５の規制片５７の係止孔５７ａ内に配置される。突起７１ｃは係止孔５７ａ内で嵌合方向Ｄ１及び離脱方向Ｄ２に沿って所定距離だけ移動できる。これにより、第１の雌ハウジング５に対する第２の雌ハウジング７の嵌合方向Ｄ１及び離脱方向Ｄ２の動きが規制されるとともに、第１の雌ハウジング５からの第２の雌ハウジング７の脱落が防止される。
【００４２】
第２のインシュレータ部７１のインシュレータ部５１に対向する面にはそれぞれ係合突起７７が形成されている（図１０参照）。係合突起７７は傾斜面７７ａを有する。係合突起７７は第１の雌ハウジング５の係止片５８の係合部５８ａと係合する。係合突起７７と係合部５８ａとで初期状態ロック手段が構成される。初期状態とは、第２の雌ハウジング７を第１の雌ハウジング５に組み付けたときの、第１のインシュレータ部５１のコネクタ嵌合方向前面５１ｆ（図７Ａ参照）と第２のインシュレータ部７１のコネクタ嵌合方向前面７１ｆ（図７Ａ参照）とがコネクタ嵌合方向Ｄ１へずれた状態をいう。この初期状態になってから嵌合作業を行うことが可能になる。
【００４３】
一対のスライド片７３は第２のインシュレータ部７１の幅方向Ｗ２の一端面に形成されている。スライド片７３の断面形状はＴ字形である。
【００４４】
一対の結合部７５はそれぞれ板状であり、第２のインシュレータ部７１の幅方向Ｗ２へ延び、２つの第２のインシュレータ部７１を間隔をあけた状態で結合する。この間隔は第１のインシュレータ部５１の幅よりも若干大きい。
【００４５】
一対の結合部７５と２つの第２のインシュレータ部７１とで囲まれた空間は挿入孔７８である。挿入孔７８には第１のインシュレータ部５１が挿入される。
【００４６】
一対の結合部７５の中央部にはそれぞれ突起（初期状態復帰手段）７５ａが形成されている。突起７５ａは第２のインシュレータ部７１の幅方向Ｗ２へ延びている。また、一対の結合部７５の中央部にはそれぞれ突起７５ａに隣接するようにスリット７５ｂが形成されている。スリット７５ｂは第２のインシュレータ部７１の幅方向Ｗ２へ延びている。このスリット７５ｂによって突起７５ａは第２のインシュレータ部７１の厚さ方向Ｔ２に沿って弾性変位可能である。
【００４７】
図１に示すように、雌型コネクタ１はボックス１１に収容される。ボックス１１の雌型コネクタ用挿入口には突片１１ａが形成されている。突片１１ａは雌型コネクタ１がボックス１１に挿入されるときに、雌型コネクタ１のボックス固定用ロック５３の傾斜面５３ａを押圧してボックス固定用ロック５３をガイド部５２内に引っ込め、雌型コネクタ１が所定の位置までボックス１１に挿入されたら、傾斜面５３ａとの係合を解く。その結果、雌型コネクタ１のボックス固定用ロック５３はガイド部５２から突出し、ボックス１１の突片１１ａを雌型コネクタ１の突片５２ｂとボックス固定用ロック５３とで挟む。これにより、雌型コネクタ１１はボックス１１に固定される。
【００４８】
図５は図１に示す雄コネクタを一面側から見た破砕斜視図、図６は図１に示す雄コネクタを他面側から見た破砕斜視図である。
【００４９】
次に雄型コネクタ２２について説明する。
【００５０】
図５、６に示すように、雄型コネクタ２２は複数の雄コンタクト（相手側コンタクト）２４と雄ハウジング２６とを備え、ＥＣＵボード２９に実装される。
【００５１】
雄コンタクト２４はほぼＬ字形に折り曲げられたピンコンタクトである。雄コンタクト２４は接触部２４ａと保持部（図示せず）とプレスフィット部２４ｃと折曲部２４ｄとを有する。接触部２４ａは雌コンタクト３と接触する。保持部は後述するハウジング本体２６ａに保持される。プレスフィット部２４ｃはＥＣＵボード２９のスルーホール２９ａに圧入される。折曲部２４ｄは保持部２４ｂとプレスフィット部２４ｃとを連結する。折曲部２４ｄはほぼ直角に折り曲げられている。
【００５２】
雄ハウジング２６はハウジング本体２６ａとフード２６ｂとボード固定部２６ｃとを備える。
【００５３】
ハウジング本体２６ａはほぼ板状であり、雄コンタクト２４の保持部を保持している。ハウジング本体２６ａの前部には一対のロック解除片２６ｄが形成されている（図９参照）。ロック解除片２６ｄは傾斜面２６ｅを有する。
【００５４】
フード２６ｂはハウジング本体２６ａの前部に一体に連結されている。フード２６ｂの内側には傾斜面２６ｆが形成されている（図１２参照）。フード２６ｂは雌型コネクタ１を覆う。また、フード２６ｂは雄型コネクタ２２を雌型コネクタ１に嵌合離脱するときに、ボックス１１によって嵌合方向Ｄ１及び離脱方向Ｄ２へガイドされる。
【００５５】
ボード固定部２６ｃはハウジング本体２６ａの後部の両端部に一体に連結されている。ボード固定部２６ｃにはボルト１２によってＥＣＵボード２９が固定されている。ＥＣＵボード２９はボード収容ケース４１内に収容される。ボード収容ケース４１はハウジング本体２６ａに固定される。
【００５６】
次に、雌型コネクタ１の第１の雌ハウジング５と第２の雌ハウジング７との組み付けに関して説明する。
【００５７】
まず、図２に示す状態からリテーナ６１を第１のインシュレータ部５１のリテーナ収容穴５１ｂに挿入し、雌コンタクト３を第１のインシュレータ部５１に固定する。同様に、リテーナ８１を第２のインシュレータ部７１のリテーナ収容穴７１ｂに挿入し、雌コンタクト３を第２のインシュレータ部７１に固定する。
【００５８】
次に、第２の雌ハウジング７の第２のインシュレータ部７１を第１の雌ハウジング５の挿入孔５９に通す。このとき、第２の雌ハウジング７のスライド片７３を第１の雌ハウジングのガイド部５２のガイド溝５２ａに係合させるとともに、第２のインシュレータ部７１の突起７１ｃを第１の雌ハウジング５の規制片５７の係止穴５７ａに配置する。
【００５９】
その結果、第１の雌ハウジング５の第１のインシュレータ部５１が第２の雌ハウジング７の挿入孔７８に挿入され、図３、４に示すように、第１の雌ハウジング５と第２の雌ハウジング７との組み付けが完了する。
【００６０】
組み付け後、第２の雌ハウジング７を嵌合方向Ｄ１及び離脱方向Ｄ２へ移動させようとしても、規制片５７の係止孔５７ａに突起７１ｃが係合しているので、第２の雌ハウジング７の動きが規制片５７によって規制され、第２の雌ハウジング７が第１の雌ハウジング５から離脱しない。
【００６１】
図７Ａは初期状態の雌型コネクタに雄型コネクタを嵌合させた状態を示す概念図、図７Ｂは初期状態が解除され雌型コネクタの第２の雌ハウジングが後退し始めた状態を示す概念図、図７Ｃは第２の雌ハウジングが更に後退した状態を示す概念図、図７Ｄは雌型コネクタに雄型コネクタが完全に嵌合した状態を示す概念図、図８は初期状態の雌型コネクタに雄型コネクタを嵌合させた状態を示す破砕斜視図、図９は雌型コネクタの第１の雌ハウジングの係止片による第２の雌ハウジングのロック状態を示す拡大破砕斜視図、図１０は雌型コネクタの第１の雌ハウジングの係止片と第２の雌ハウジングとのロック状態が解除された状態を示す拡大破砕斜視図、図１１は雌型コネクタの第１の雌ハウジングの嵌合方向前面と第２の雌ハウジングの嵌合方向前面とがほぼ面一になった状態を示す拡大破砕斜視図である。なお、図１０において相手側コネクタの図示が省略されている。また、図８、９、１１において雄コンタクトが省略されている。
【００６２】
次に、雌型コネクタ１と雄型コネクタ２２との嵌合について図７〜１１に基づいて説明する。
【００６３】
まず、図７Ａに示すように、第２の雌ハウジング７が止まるまで第２の雌ハウジング７を嵌合方向Ｄ１へ移動させる。
【００６４】
このとき、係合突起７７の傾斜面７７ａが係止片５８の係合部５８ａの第１の傾斜面５８ｄと接触し、係合突起７７がばね部５８ｂのばね力に抗して係止片５８を押し退ける。その後、係合突起７７は係止片５８の凹部５８ｃと係合し、係止片５８はばね部５８ｂのばね力によって元の状態に戻り、図９に示す状態になる。
【００６５】
この状態では、係合突起７７が凹部５８ｃと係合しているので、第２の雌ハウジング７を離脱方向Ｄ２へ押しても動かない。このとき、第２のインシュレータ部７１の嵌合方向前面７１ｆは第１のインシュレータ部５１の嵌合方向前面５１ｆよりも嵌合方向Ｄ１で前方に位置する（図３参照）。
【００６６】
次に、雄型コネクタ２２を第２の雌ハウジング７の方へ押し込む。その結果、第２のインシュレータ部７１に設けられた雌コンタクト３のソケット部３ａ（図２参照）と雄型コネクタ２２の雄コンタクト２４の接触部２４ａとが接触する（図７Ａ参照）。
【００６７】
このとき、雌コンタクト３と雄コンタクト２４との摩擦力によって雌型コネクタ１の第２の雌ハウジング７が押されるが、係合突起７７が係止片５８の凹部５８ｃと係合しているので、第２の雌ハウジング７は動かない。
【００６８】
その後、更に雄型コネクタ２２を雌型コネクタ１の方へ押し込むと、雄型コネクタ２２のロック解除片２６ｄが第１の雌ハウジング５の係止片５８の係合部５８ａの第１の傾斜面５８ｄと接触し、ロック解除片２６ｄが係止片５８を押し退ける。その結果、係止片５８の凹部５８ｃと係合突起７７との係合が解かれ（図７Ｂ、図１０参照）、その後、第２の雌ハウジング７が雄型コネクタ２２とともに動く（図７Ｃ参照）。最終的に係合部５８ａの第２の傾斜面５８ｅがロック解除片２６ｄの第２の傾斜面２６ｅと係合し、係止片５８は元の状態に戻る。
【００６９】
以上のようにして、雄型コネクタ２２の雄コンタクト２４が第１の雌ハウジング５の第１のインシュレータ部５１の雌コンタクト３に接触し、雄型コネクタ２２が雌型コネクタ１に完全に嵌合される（図７Ｄ、図１１参照）。
【００７０】
図１２は雌型コネクタの第２の雌ハウジングの結合片が弾性変形不能な状態を示す断面斜視図、図１３は結合片が弾性可能になった状態を示す断面斜視図、図１４は結合片が弾性変形し、第２の雌ハウジングの結合部の突起と雄型コネクタの雄ハウジングとの係合が解除された状態を示す断面斜視図である。
【００７１】
次に、図１２〜１４に基づいて離脱時の動作について説明する。
【００７２】
雄型コネクタ２２を雌型コネクタ１から離脱させるには、雄型コネクタ２２を雌型コネクタ１から離れるように引っ張ればよい。
【００７３】
離脱初期の段階では、図１２に示すように、一対の結合部７５の間に第１のインシュレータ部５１が介在するので、結合部７５のそれぞれは相手側に向かう方向（厚さ方向Ｔ２）へ弾性変形できない。その結果、結合部７５の突起７５ａと雄型コネクタ２２のフード部２６ｂの傾斜面２６ｆとが係合し、第２の雌ハウジング７が雄型コネクタ２２とともに離脱方向Ｄ２へ移動する。
【００７４】
第２の雌ハウジング７が初期状態まで動くと、図１３に示すように、一対の結合部７５の間から第１のインシュレータ部５１が抜ける。その結果、結合部７５のそれぞれは相手側に向かう方向（厚さ方向Ｔ２）へ弾性変形可能となる。
【００７５】
雄型コネクタ２２が離脱方向Ｄ２へ更に移動すると、フード部２６ｂの傾斜面２６ｆは結合部７５の突起７５ａを押し退ける。その結果、フード部２６ｂの傾斜面２６ｆと結合部７５の突起７５ａとの係合が解かれ、雄型コネクタ２２は雌型コネクタ１から離脱する。このとき、係止片５８の凹部５８ｃと係合突起７７とが係合し、初期状態に戻る（図９参照）。
【００７６】
この実施形態によれば、雌型コネクタ１と雄型コネクタ２２との嵌合において、最初に、第２のインシュレータ部７１の雌コンタクト３を雄コンタクト２４の一部に接触させ、その後、第１のインシュレータ部５１の雌コンタクト３を残りの雄コンタクト２４に接触させるので、全ての雌コンタクトを一時に雄コンタクト２４に接触させる方式に較べ、嵌合力を分散させることができる。
【００７７】
また、第１のインシュレータ部５１の両側に第２のインシュレータ部７１が配置されているので、第１、第２の雌ハウジング５、７の傾きが防止される。
【００７８】
更に、第２の雌ハウジング７に突起７５ａを設けたので、雄型コネクタ２２を雌型コネクタ１から離脱するときに、雌型コネクタ１を確実に初期状態に戻すことができ、次の雄型コネクタ２２との嵌合に備えることができる。
【００７９】
なお、この実施形態では、第１のインシュレータ部５１は１つで、第２のインシュレータ部７１は２つであるが、第１、第２のインシュレータ部５１，７１の数はこれに限られず、第１のインシュレータ部５１は１つ以上であればよく、第２のインシュレータ部７１は第１のインシュレータ部５１よりも１つ多ければよい。要は第１のインシュレータ部５１と第２のインシュレータ部７１とが嵌合方向Ｄ１と直交する方向に交互に配置されればよい。
【００８０】
また、第２の雌ハウジング７が第１の雌ハウジング５にロックされたとき、第２のインシュレータ部７１の嵌合方向前面７１ｆが第１のインシュレータ部５１の嵌合方向前面５１ｆよりも嵌合方向Ｄ１で前方に位置するようにしたが、必ずしもこのように構成する必要は無く、第２の雌ハウジング７が初期状態ロック手段によって第１の雌ハウジング５にロックされたとき、第１のインシュレータ部５１の嵌合方向前面５１ｆが第２のインシュレータ部７１の嵌合方向前面７１ｆよりも嵌合方向Ｄ１の前方に位置するようにしてもよい。
【００８１】
なお、ロック手段として凹部５８ｃと係合突起７７との組合せを採用したが、ロック手段はこれに限られない。
【００８２】
また、多段嵌合手段として、第１の傾斜面２６ｉと係合する第１の傾斜面５８ｄを採用したが、多段嵌合手段はこれに限られない。
【図面の簡単な説明】
【００８３】
【図１】図１はこの発明の一実施形態に係る雌型コネクタとこのコネクタの相手側コネクタである雄型コネクタとの嵌合状態を雌型コネクタの一面側から見た状態を示す破砕斜視図である。
【図２】図２は図１に示す雌型コネクタの第１の雌ハウジングに第２の雌ハウジングを組み付ける前の状態を雌コネクタの他面側から見た斜視図である。
【図３】図３は図１に示す雌型コネクタの第１の雌ハウジングに第２の雌ハウジングを組み付け、第１、第２の雌ハウジングの嵌合方向前面をずらした状態を雌型コネクタの一面側から見た斜視図である。
【図４】図４は図１に示す雌型コネクタの第１の雌ハウジングに第２の雌ハウジングを組み付け、第１、第２の雌ハウジングの嵌合方向前面をほぼ面一にした状態を雌型コネクタの一面側から見た斜視図である。
【図５】図５は図１に示す雄コネクタを一面側から見た破砕斜視図である。
【図６】図６は図１に示す雄コネクタを他面側から見た破砕斜視図である。
【図７Ａ】図７Ａは初期状態の雌型コネクタに雄型コネクタを嵌合させた状態を示す概念図である。
【図７Ｂ】図７Ｂは初期状態が解除され雌型コネクタの第２の雌ハウジングが後退し始めた状態を示す概念図である。
【図７Ｃ】図７Ｃは第２の雌ハウジングが更に後退した状態を示す概念図である。
【図７Ｄ】図７Ｄは雌型コネクタに雄型コネクタが完全に嵌合した状態を示す概念図である。
【図８】図８は初期状態の雌型コネクタに雄型コネクタを嵌合させた状態を示す破砕斜視図である。
【図９】図９は雌型コネクタの第１の雌ハウジングの係止片による第２の雌ハウジングのロック状態を示す拡大破砕斜視図である。
【図１０】図１０は雌型コネクタの第１の雌ハウジングの係止片と第２の雌ハウジングとのロック状態が解除された状態を示す拡大破砕斜視図である。
【図１１】図１１は雌型コネクタの第１の雌ハウジングの嵌合方向前面と第２の雌ハウジングの嵌合方向前面とがほぼ面一になった状態を示す拡大破砕斜視図である。
【図１２】図１２は雌型コネクタの第２の雌ハウジングの結合片が弾性変形不能な状態を示す断面斜視図である。
【図１３】図１３は結合片が弾性可能になった状態を示す断面斜視図である。
【図１４】図１４は結合片が弾性変形し、第２の雌ハウジングの結合部の突起と雄型コネクタの雄ハウジングとの係合が解除された状態を示す断面斜視図である。
【符号の説明】
【００８４】
１  雌型コネクタ（コネクタ）
３  雌コンタクト（コンタクト）
５  第１の雌ハウジング（第１のハウジング）
５１  第１のインシュレータ部
５８ｃ  凹部
５８ｄ  第１の傾斜面（多段嵌合手段）
７  第２の雌ハウジング（第２のハウジング）
７１  第２のインシュレータ部
７７  係合片
２２  雌型コネクタ
２４  雄コンタクト
【図１】
0004716379.tif 000002
【図２】
0004716379.tif 000003
【図３】
0004716379.tif 000004
【図４】
0004716379.tif 000005
【図５】
0004716379.tif 000006
【図６】
0004716379.tif 000007
【図７Ａ】
0004716379.tif 000008
【図７Ｂ】
0004716379.tif 000009
【図７Ｃ】
0004716379.tif 000010
【図７Ｄ】
0004716379.tif 000011
【図８】
0004716379.tif 000012
【図９】
0004716379.tif 000013
【図１０】
0004716379.tif 000014
【図１１】
0004716379.tif 000015
【図１２】
0004716379.tif 000016
【図１３】
0004716379.tif 000017
【図１４】
0004716379.tif 000018